(57)【要約】導光体の導光効率を維持することができる表示装置を提供する。光源３２を有する回路基板３０と、光源２１の光を照明物１０まで導く導光体４０と、回路基板３０及び導光体４０を支持するケース５１と、回路基板３０に対してケース５１を位置決めする、第１の位置決め部８０と、ケース５１に対して導光体４０を位置決めし、光源３２に関して第１の位置決め部８０と対向する位置に設けられた第２の位置決め部９０と、を備える。
2019235533.tif 000002
【特許請求の範囲】
【請求項１】
光源を有する回路基板と、
前記光源の光を照明物まで導く導光体と、
前記回路基板及び前記導光体を支持するケースと、
前記回路基板に対して前記ケースを位置決めする、第１の位置決め部と、
前記ケースに対して前記導光体を位置決めし、前記光源に関して前記第１の位置決め部と対向する位置に設けられた第２の位置決め部と、を備える表示装置。
【請求項２】
前記ケースは、熱膨張又は熱収縮時において前記第１の位置決め部を起点に膨張又は収縮し、
前記導光体は、熱膨張又は熱収縮時において前記第２の位置決め部を起点に膨張又は収縮する、請求項１記載の表示装置。
【請求項３】
前記第１の位置決め部は、前記回路基板及び前記ケースの一方に設けられる孔と、前記回路基板及び前記ケースの他方に設けられる位置決めピンと、であり、
前記第２の位置決め部は、前記ケース及び前記導光体の一方に設けられる孔と、前記ケース及び前記導光体の他方に設けられる位置決めピンと、である請求項１又は２記載の表示装置。
【請求項４】
前記第１の位置決め部は、前記回路基板に設けられる基板孔と、前記ケースに設けられる前記基板孔に挿入されるケース位置決めピンと、であり、
前記第２の位置決め部は、前記ケースに設けられるケース孔と、前記導光体に設けられる前記ケース孔に挿入される導光体位置決めピンと、である、請求項３記載の表示装置。
【請求項５】
前記回路基板に設けられ、前記回路基板から垂直に前面側に伸びた指針軸を有する指針駆動部と、
前記指針軸に接続されて回転して指標を指し示し、前記光源の光で照明される指針と、をさらに備え、
前記光源は、前記指針駆動部の周りに設けられ、
前記導光体は、前記指針まで前記光源の光を導く、請求項１又は２記載の表示装置。
【請求項６】
前記光源の前面側に設けられ、前記光源の光を透過することにより意匠を表示する文字板をさらに備え、
前記導光体は、前記意匠まで前記光源の光を導く、請求項１又は２記載の表示装置。
【請求項７】
前記ケースに対して前記文字板を位置決めし、前記光源に関して前記第１の位置決め部と対向する位置に設けられた第３の位置決め部をさらに備える、請求項６記載の表示装置。
【請求項８】
前記文字板の前面側に設けられる見返しをさらに備え、
前記第３の位置決め部は、前記ケースに対して前記見返しをさらに位置決めする、請求項７記載の表示装置。
【発明の詳細な説明】
【技術分野】
【０００１】
本発明は、自動車等の車両に搭載される表示装置に関する。
【背景技術】
【０００２】
自動車やオートバイ等の車両には、指針式の速度計、回転計、及び必要な情報をデジタル表示する液晶表示装置等を有する表示装置が搭載されている。このような表示装置は、抜き文字状に印刷形成された目盛、数字、文字、記号等の意匠を有する文字板や、これら意匠を指し示す指針を有している。意匠や指針は、背面側に設けられた回路基板上の光源の光を導光体を介して透過することにより、照明の有無や色で視認者に情報を伝えたり、デザイン性を備えたりしている。【０００３】
導光体は、光源の光を効率良く導光するよう形状や配置が設計された上で、光源に対して配置されている。例えば、特許文献１に示すように、導光体は、回路基板に設けられた孔に挿入される位置決めピンを有している。導光体は、この位置決めピンを介して回路基板と位置決めされることにより、相対的に光源と位置決めされている。
【先行技術文献】
【特許文献】
【０００４】
【特許文献１】特開２００４−１５１０２８号公報
【発明の概要】
【発明が解決しようとする課題】
【０００５】
表示装置は、太陽光等の外部からの熱源や、光源の発熱等による内部からの熱源により、光源の周囲の部材が熱の影響を受けて膨張し、その後収縮する虞がある。ここで、導光体は、例えばＰＭＭＡ（Polymethyl methacrylate）等の合成樹脂からなる。また、回路基板は、例えばＦＲ−４（Flame Retardant-4）等の平板状のガラスエポキシ系基材に配線パターンを施した硬質配線基板からなる。この場合、導光体は、回路基板に対して熱膨張率が大きい材料からなる。このため、熱の影響を受けた導光体は、位置決めピンを起点に回路基板に対して移動してしまう。これにより、導光体は光源に対して位置ずれしてしまい、所望の輝度が得られない虞がある。【０００６】
本発明はこのような事情を考慮してなされたもので、導光体の導光効率を維持することができる表示装置を提供することを目的とする。
【課題を解決するための手段】
【０００７】
本発明に係る表示装置は、上述した課題を解決するために、光源を有する回路基板と、前記光源の光を照明物まで導く導光体と、前記回路基板及び前記導光体を支持するケースと、前記回路基板に対して前記ケースを位置決めする、第１の位置決め部と、前記ケースに対して前記導光体を位置決めし、前記光源に関して前記第１の位置決め部と対向する位置に設けられた第２の位置決め部と、を備える。
【発明の効果】
【０００８】
本発明に係る表示装置においては、導光体の導光効率を維持することができる。
【図面の簡単な説明】
【０００９】
【図１】本発明に係る表示装置の実施形態である表示装置を示す正面図。
【図２】図１のII−II線に沿う断面図。
【図３】回路基板、中ケース及び導光体を主に示す図２の分解図。
【図４】表示装置の変形例を示す図１のIII−III線に沿う断面図。
【図５】表示装置の他の変形例を示す図１のIII−III線に沿う断面図。
【発明を実施するための形態】
【００１０】
本発明に係る表示装置の実施形態を添付図面に基づいて説明する。本発明に係る表示装置は、例えば自動車や二輪車等の車両や、船舶、農業機械、建設機械に搭載される。本実施形態においては、本発明に係る表示装置が、自動車のインストルメントパネル内に搭載された表示装置である例を用いて説明する。
【００１１】
図１は、本発明に係る表示装置の実施形態である表示装置１を示す正面図である。
図２は、図１のII−II線に沿う断面図である。
【００１２】
図３は、回路基板３０、中ケース５１及び導光体４０を主に示す図２の分解図である。
【００１３】
以下の説明において、「前面（前）側」は、図１における手前側、図２における上（変更：左）側（文字板２０側）であり視認者（運転者）に視認される側を意味する。「背面（後）側」は、図１における奥側、図２における下（変更：右）側（外ケース５２側）を意味する。
【００１４】
表示装置１は、速度計２と、エンジン回転数計３と、を有している。速度計２は、車両の速度を表示する指針式計器である。エンジン回転数計３は、車両のエンジン回転数を表示する指針式計器である。
【００１５】
表示装置１は、指針１０と、文字板２０と、回路基板３０と、導光体４０と、ケース５０と、見返し６０と、を主に有している。
【００１６】
指針１０は、回路基板３０に設けられた指針駆動部３１の指針軸３５の先端に接続されており、文字板前面２０ａ側で、文字板２０に平行する面上を回転する。指針１０は、車両の速度やエンジン回転数に応じて、速度やエンジン回転数に対応する文字板２０に形成された目盛や数字等の意匠２１（指標）を回転して指し示す。指針１０は、発光部１１と、キャップ１２と、を有している。
【００１７】
発光部１１は、透過性（透光性）を有する樹脂（例えばポリカーボネート）であり、指針形状の部材である。発光部１１は、光源３２の光を受光し、反射しながら先端側へ光を導く。
【００１８】
キャップ１２は、黒色の樹脂（例えばＡＢＳ樹脂）であり、発光部１１の回転中心付近を前面側から覆って不要箇所を遮蔽している。キャップ１２は、鞘部１３と、側面部１４と、を有している。鞘部１３は、発光部１１を筋状に露出する。側面部１４は、キャップ１２の周縁１５から文字板前面２０ａに向って突出（延出）している。
【００１９】
文字板２０は、光源３２の前面側及び指針１０の背面側に設けられた薄板状の部材である。文字板２０は、基材と、遮光層と、を有している。
【００２０】
基材は、透過性（透光性）を有する樹脂（例えばポリカーボネート）であり、板状（シート状）部材である。
【００２１】
遮光層は、基材の前面側（又は背面側）に形成された黒色の遮光性インキで印刷された印刷層である。遮光層は、意匠２１の形状に対応した抜き文字部分を有している。意匠２１は、文字、記号、及び指針１０により指示される目盛や数字である。文字板２０は、意匠２１用の光源（図示せず）の光を透過することにより、意匠２１を点灯表示する。
【００２２】
文字板２０の周縁、すなわち速度計２及びエンジン回転数計３の周縁は、装飾リング２３により覆われている。装飾リング２３は、黒色の樹脂（例えばＡＢＳ樹脂）の表面に銀色の塗装を施したもの等からなり、速度計２及びエンジン回転数計３の周縁に合わせたリング部材である。
【００２３】
なお、本実施形態においては詳細な説明を省略するが、表示装置１は、文字板２０の他に、速度計２及びエンジン回転数計３の周囲に配置される文字板２５を有している。
【００２４】
回路基板３０は、例えばＦＲ４（Flame Retardant Type 4）を基材とするガラスエポキシ基板であり、文字板背面２０ｂ側の中ケース５１の背後に設けられている。回路基板３０は、指針駆動部３１と、光源３２と、光源３２や指針駆動部３１のドライバ等を含む制御部と、を主に有している。
【００２５】
制御部は、ＣＰＵ（Central Processing Unit）、ＲＯＭ（Read Only Memory）、ＲＡＭ（Random Access Memory）等を有しており、例えば、ＲＯＭに書き込まれたプログラムに従って所定の演算処理を実行する。制御部は、例えば、車両のＥＣＵ（Electronic Control Unit）から各種車両情報を取得する。制御部は、取得した情報に基づき、光源３２を点灯させたり、指針駆動部３１を駆動したりする。
【００２６】
指針駆動部３１は、入力された車両の速度やエンジン回転数に応じて指針軸３５を回転するステッピングモータ等からなる。指針軸３５は、回路基板３０から垂直に前面側に伸びている。
【００２７】
光源３２は、回路基板３０の前面に設けられ、前面側を照明する。光源３２は、例えばトップビュー型（上面発光型）のＬＥＤ（Light Emitting Diode）である。光源３２は、指針駆動部３１（指針軸３５）の周りに均等に３個設けられている。また、意匠２１用の光源（図示せず）は、表示装置１の意匠２１の数及び位置等に応じて設けられている。
【００２８】
導光体４０は、透明な樹脂（例えばポリメタクリル酸メチル樹脂（Polymethyl methacrylate、ＰＭＭＡ））からなる。導光体４０は、指針軸３５の回転を阻害しないよう、指針軸３５と一定の隙間を有しながら指針軸３５を取り囲むように設けられた略筒状に形成され、照明物である指針１０まで光源３２の光を導く。導光体４０は、光源３２の光を受光面４１において損失なく受光し、発光部１１に導けるよう、形状や位置が設定されている。このため、導光体４０（受光面４１）の光源３２（回路基板３０）に対する位置は重要である。
【００２９】
ケース５０は、中ケース５１、５３と、外ケース５２と、を有している。
【００３０】
中ケース５１（第１の中ケース５１）及び中ケース５３（第２のケース５３）は、白色等の遮光性の合成樹脂（例えばポリプロピレン）からなる。中ケース５１は、前面に文字板２０を載置し、内部に導光体４０を収容する。中ケース５３は、前面に文字板２５を載置し、回路基板３０を背面で固定する。中ケース５１は、文字板２５の前面から中ケース５３及び回路基板３０へ固定される。すなわち、中ケース５１、５３は、回路基板３０及び導光体４０を支持する。以下、単に中ケースという場合は、第１の中ケース５１を意味する。
【００３１】
外ケース５２は、黒色等の遮光性の樹脂（例えばポリプロピレン）からなり、内部に中ケース５１、中ケース５３、回路基板３０を収容し、表示装置１の背面を形成する。
【００３２】
見返し６０は、黒色等の遮光性の樹脂（例えばポリプロピレン）からなる。見返し６０は、外ケース５２の前面側に取り付けられている。見返し６０は、表示装置１の前面側のケースとしても機能している。見返し６０は、前側に、透光性の樹脂（例えばＰＭＭＡや無機ガラス）からなるカバー６２を有している。カバー６２は、表示装置１の内部に塵埃等が入らないように、見返し周縁６３で形成される開口を覆っている。
【００３３】
次に、中ケース５１と回路基板３０及び導光体４０との間の位置決め構造について、詳細を説明する。
【００３４】
表示装置１は、回路基板３０に対して中ケース５１（ケース）を位置決めする第１の位置決め部８０と、中ケース５１に対して導光体４０を位置決めする第２の位置決め部９０と、を有している。
【００３５】
第１の位置決め部８０は、基板孔８１と、ケース位置決めピン８２と、を有している。基板孔８１は、回路基板３０に設けられており、回路基板３０の面に対して垂直に挿入方向を有している。ケース位置決めピン８２は、中ケース５１に設けられており、基板孔８１に隙間が少なく挿入されることにより、中ケース５１を回路基板３０に対して位置決めする。第１の位置決め部８０は、光源３２に近い位置に設けられるのが、光源３２と導光体４０との位置ずれを防止する観点から好ましい。例えば、速度計２及びエンジン回転数計３の回転半径（例えば５０ｍｍ）内、すなわち、指針１０の長さ（回転中心から発光部１１の先端までの距離）の範囲内に、第１の位置決め部８０が設けられるのが好ましい。なお、意匠２１用の光源が、指針軸３５に関して光源３２よりも遠い位置に配置される場合には、光源３２と意匠２１用の光源との間に位置する回路基板３０の空き領域に、第１の位置決め部８０が設けられてもよい。
【００３６】
中ケース５１がケース位置決めピン８２を軸として回路基板３０上を回転しないよう、表示装置１はさらに第１の回り止め８５を有している。第１の回り止め８５は、回路基板３０に設けられる基板回り止め孔８６と、中ケース５１に設けられるケース回り止めピン８７と、である。基板回り止め孔８６は、中ケース５１がケース位置決めピン８２を軸とする回転方向においてケース回り止めピン８７の移動を抑制するよう、ケース回り止めピン８７との隙間が小さくなっている。一方、組み立て時の作業性を考慮し、回転の径方向（ケース位置決めピン８２とケース回り止めピン８７とを結ぶ方向）には隙間が設けられている。
【００３７】
第２の位置決め部９０は、光源３２（軸Ｚ３）に関して第１の位置決め部８０と対向する位置（第１の位置決め部８０と光源３２とを結ぶ直線上であって、光源３２及び指針軸３５を基準に対向する位置）に設けられている。第２の位置決め部９０は、ケース孔９１と、導光体位置決めピン９２と、を有している。ケース孔９１は、中ケース５１に設けられており、導光体位置決めピン９２の挿入方向が基板孔８１と同一方向（正負方向は問わず）となるように設けられている。導光体位置決めピン９２は、導光体４０に設けられており、ケース孔９１に隙間が少なく挿入されることにより、導光体４０を中ケース５１に対して位置決めする。
【００３８】
導光体４０が導光体位置決めピン９２を軸として中ケース５１上を回転しないよう、表示装置１はさらに第２の回り止め９５を有している。第２の回り止め９５は、中ケース５１に設けられるケース回り止め孔９６と、導光体４０に設けられる導光体回り止めピン９７と、である。ケース回り止め孔９６は、基板回り止め孔８６と同様、導光体４０が導光体位置決めピン９２を軸とする回転方向において、基板回り止め孔８６との隙間が小さくなっている。一方、ケース回り止め孔９６は、回転の径方向（導光体位置決めピン９２と導光体回り止めピン９７とを結ぶ方向）には隙間が設けられている。なお、第１及び第２の回り止め８５、９５については、ケース位置決めピン８２、導光体位置決めピン９２を軸とした回転を防止することができる個数であれば、数は問わない。
【００３９】
次に、表示装置１において、光源３２の発光に伴う熱が中ケース５１及び導光体４０に与える影響について、説明する。
【００４０】
光源３２が発光すると、発熱する。この熱により、光源３２の周囲の部材である回路基板３０、中ケース５１及び導光体４０が熱の影響を受ける。回路基板３０は、中ケース５１及び導光体４０に比べて熱膨張率（熱収縮率）が小さく、熱の影響を受けにくい。このため、中ケース５１及び導光体４０は、回路基板３０よりも熱膨張及び熱収縮しやすい。
【００４１】
中ケース５１は、第１の位置決め部８０において回路基板３０に位置決めされ、支持されている。このため、中ケース５１は、熱膨張又は熱収縮時において、第１の位置決め部８０を起点に膨張又は収縮する。例えば、図３に示すように、中ケース５１は、ケース位置決めピン８２の軸Ｚ１を基点に、膨張する。この結果、導光体４０が位置決めされた第２の位置決め部９０は、矢印Ｘ１方向に移動することになる。
【００４２】
また、導光体４０は、第２の位置決め部９０において中ケース５１に位置決めされ、支持されている。このため、導光体４０は、熱膨張又は熱収縮時において、第２の位置決め部９０を起点に膨張又は収縮する。例えば、導光体４０は、導光体位置決めピン９２の軸Ｚ２を基点に、膨張する。この結果、導光体４０の受光面４１は、矢印Ｘ２方向に移動することになる。
【００４３】
しかしながら、熱膨張率（熱収縮率）の近い第１の位置決め部８０と第２の位置決め部９０とは、光源３２を通る前後方向の（回路基板３０に直交する）軸である軸Ｚ３を介して対向して配置されている。このため、第２の位置決め部９０の矢印Ｘ１方向の移動と、受光面４１の矢印Ｘ２方向への移動とは相殺され（打ち消され）、結果として、受光面４１は軸Ｚ３に対して移動することがない（位置がほとんど変らない）。
【００４４】
このような表示装置１は、導光体４０を回路基板３０に位置決めすることなく、中ケース５１を介して位置決めした。この結果、光源３２の熱による熱膨張及び熱収縮の影響を最小限に抑えることができる。ゆえに、表示装置１は、導光体４０の導光効率を維持することができる。
【００４５】
また、導光体４０は、指針軸３５と一定の隙間を有しながら、指針軸３５を囲むように設けられている。指針軸３５の駆動を阻害しないために、この隙間は保たれる必要がある。本実施形態における表示装置１は、指針軸３５の軸Ｚ４に対しても、上述した受光面４１同様、熱膨張及び熱収縮による回路基板３０に対する中ケース５１と導光体４０との移動を相殺することができる。このため、表示装置１は、導光体４０と指針軸３５との隙間を一定に保つことができる。
【００４６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００４７】
例えば、導光体が光源の光を導く照明物は、上述した指針１０に代えて、又は指針１０に加え、文字板の意匠であってもよい。
【００４８】
図４は、表示装置１の変形例を示す図１のIII−III線に沿う断面図である。
【００４９】
表示装置１は、速度計２及びエンジン回転数計３に加え、液晶表示パネル等の表示パネル１０２を有している。表示装置１は、意匠１０７用の光源１０３を回路基板３０上に有している。導光体１０４は、表示パネル１０２の前面側に、表示パネル１０２を覆うように設けられた文字板１０６の意匠１０７まで、光源１０３の光を導く。見返し６０は、文字板１０６の前面側に設けられ、文字板１０６の遮蔽部分を覆っている。
【００５０】
表示装置１は、第１の位置決め部１１０と、第２の位置決め部１２０と、を有している。
【００５１】
第１の位置決め部１１０は、第１の位置決め部８０とほぼ同様に、基板孔１１１と、回路基板用ケース位置決めピン１１２と、を有している。第１の位置決め部１１０は、表示パネル１０２が配置されていない回路基板３０の面上に設けられている。また、第１の回り止め８５とほぼ同様に、表示装置１はさらに第１の回り止め（図示せず）を有している。
【００５２】
第２の位置決め部１２０は、中ケース５１に対して導光体１０４を位置決めする。第２の位置決め部１２０は、光源１０３に関して第１の位置決め部１１０と対向する位置（第１の位置決め部１１０と光源１０３とを結ぶ直線上であって、光源１０３を基準に対向する位置）に設けられている。第２の位置決め部１２０は、導光体孔１２１と、導光体用ケース位置決めピン１２２と、を有している。導光体孔１２１は、導光体１０４に設けられており、導光体用ケース位置決めピン１２２の挿入方向が基板孔１１１と同一方向（正負方向は問わず）となるように設けられている。導光体用ケース位置決めピン１２２は、中ケース５１に設けられており、導光体孔１２１に挿入されることにより、中ケース５１に対して導光体１０４を位置決めする。また、第２の回り止め９５とほぼ同様に、表示装置１はさらに第２の回り止め（図示せず）を有している。
【００５３】
このような変形例としての図４に示す表示装置１は、第１の位置決め部１１０及び第２の位置決め部１２０を有することにより、光源１０３の熱による熱膨張及び熱収縮の影響を最小限に抑えることができる。この結果、文字板１０６上の意匠１０７に対しても、導光体１０４の受光面１０５の位置ずれを低減することができ、導光体１０４の導光効率を維持することができる。
【００５４】
図５は、表示装置１の他の変形例を示す図１のIII−III線に沿う断面図である。表示装置１と対応する構成及び部分については同一の符号を付し、重複する説明を省略する。
【００５５】
図５の表示装置１が、図４の表示装置１と異なる点は、文字板１０６及び見返し６０の光源１０３及び導光体１０４に対する位置ずれを低減するための、第３の位置決め部２１０を有する点である。
【００５６】
第３の位置決め部２１０は、中ケース２０５に対して文字板１０６及び見返し６０を位置決めする。第３の位置決め部２１０は、第２の位置決め部１２０と同様、光源１０３に関して第１の位置決め部１１０と対向する位置（第１の位置決め部１１０と光源１０３とを結ぶ直線上であって、光源１０３を基準に対向する位置）に設けられている。
【００５７】
第３の位置決め部２１０は、文字板孔２１１と、見返し孔２１２と、文字板用ケース位置決めピン２１３と、を有している。文字板孔２１１は、文字板１０６に設けられており、文字板用ケース位置決めピン２１３の挿入方向が基板孔１１１と同一方向（正負方向は問わず）となるように設けられている。見返し孔２１２は、見返し６０に設けられており、文字板用ケース位置決めピン２１３の挿入方向が基板孔１１１と同一方向（正負方向は問わず）となるように設けられている。また、見返し孔２１２は、文字板孔２１１と前後方向において一致する位置に設けられている。文字板用ケース位置決めピン２１３は、中ケース２０５に設けられており、文字板孔２１１及び見返し孔２１２に挿入されることにより、中ケース２０５に対して文字板１０６及び見返し６０を位置決めする。
【００５８】
このような図５に示す表示装置１は、光源１０３の熱による文字板１０６及び見返し６０の熱膨張及び熱収縮の影響に伴う、光源１０３及び導光体１０４に対する文字板１０６及び見返し６０のずれを低減することができる。この結果、表示装置１は、文字板１０６の意匠１０７の導光体１０４に対する位置ずれを低減することができ、導光体１０４の導光効率を維持することができる。すなわち、表示装置１は、設計された輝度で意匠１０７を照明することができる。
【００５９】
なお、図５に示す表示装置１においては、文字板孔２１１又は見返し孔２１２を省略してもよい。いずれか一方の文字板孔２１１、見返し孔２１２を文字板用ケース位置決めピン２１３で固定した場合であっても、光源１０３及び導光体１０４に対する位置ずれを低減することができる。
【００６０】
また、表示装置１においては、第１の位置決め部８０、１１０は、回路基板３０及び中ケース５１、２０５の一方に設けられる孔と、回路基板３０及び中ケース５１、２０５の他方に設けられる位置決めピンと、であればよい。また、第２の位置決め部９０、１２０は、中ケース５１、２０５及び導光体４０、１０４の一方に設けられる孔と、中ケース５１、２０５及び導光体４０、１０４の他方に設けられる位置決めピンと、であればよい。さらに、第３の位置決め部２１０は、中ケース２０５及び文字板１０６（見返し６０）の一方に設けられる孔と、中ケース２０５及び文字板１０６（見返し６０）の他方に設けられる位置決めピンと、であればよい。すなわち、第１の位置決め部８０、１１０、第２の位置決め部９０、１２０、及び第３の位置決め部２１０の孔と位置決めピンとの関係は、上述した表示装置の実施形態及び変形例に限らない。
【符号の説明】
【００６１】
１  表示装置
２  速度計
３  エンジン回転数計
１０  指針
１１  発光部
１２  キャップ
１３  鞘部
１４  側面部
１５  周縁
２０、２５、１０６  文字板
２０ａ  文字板前面
２０ｂ  文字板背面
２１、１０７  意匠
２３  装飾リング
３０  回路基板
３１  指針駆動部
３２、１０３  光源
３５  指針軸
４０、１０４  導光体
４１、１０５  受光面
５０  ケース
５１、２０５  中ケース
５２  外ケース
６０  見返し
６２  カバー
６３  見返し周縁
８０、１１０  第１の位置決め部
８１、１１１  基板孔
８２  ケース位置決めピン
８５  第１の回り止め
８６  基板回り止め孔
８７  ケース回り止めピン
９０、１２０  第２の位置決め部
９１  ケース孔
９２  導光体位置決めピン
９５  第２の回り止め
９６  ケース回り止め孔
９７  導光体回り止めピン
１０２  表示パネル
１１２  回路基板用ケース位置決めピン
１２１  導光体孔
１２２  導光体用ケース位置決めピン
２１０  第３の位置決め部
２１１  文字板孔
２１２  見返し孔
２１３  文字板用ケース位置決めピン
Ｘ１、Ｘ２  矢印
Ｚ１、Ｚ２、Ｚ３、Ｚ４  軸
【図１】
2019235533.tif 000003
【図２】
2019235533.tif 000004
【図３】
2019235533.tif 000005
【図４】
2019235533.tif 000006
【図５】
2019235533.tif 000007
【国際調査報告】
2019235533.tif 000008
2019235533.tif 000009
2019235533.tif 000010